(57)【特許請求の範囲】
【請求項１】
熱交換器、流量調整装置、液接続配管及びガス接続配管を有する複数の室内ユニットを備えた空気調和機に対して、圧縮機、空気熱交換器、熱交換器が順次連結されて冷凍サイクルが構成される洗浄装置を運転して前記液接続配管及びガス接続配管内に冷媒を循環させる配管洗浄方法であって、
複数のうち少なくとも一つの前記室内ユニットの流量調整装置を全開、他を微開とし、設定時間毎に全開とする前記流量調整装置を順次変えて前記洗浄装置を運転すると共に、全開とする前記流量調整装置を切替える際に全ての前記流量調整装置を設定時間だけ全開とすることを特徴とする配管洗浄方法。
【請求項２】
請求項１に記載の配管洗浄方法において、微開とした他の前記流量調整装置の開度を全開時の２５％以下としたことを特徴とする配管洗浄方法。
【発明の詳細な説明】
【０００１】
【発明の属する技術分野】
本発明は、冷凍サイクルを利用した空気調和機や冷凍機を含む冷凍装置に使用する接続配管を洗浄する配管洗浄方法及び配管洗浄装置並びに室外ユニットに関する。
【０００２】
【従来の技術】
空気調和機や冷凍機などの冷凍装置において、配管の洗浄方法として、既設の冷凍装置とは別の冷凍サイクルにより、冷凍装置に使用している冷媒と同じ冷媒を用いて配管を洗浄、つまり、配管内に残った配管の切断時に生じた切り粉やバリ取りかすや配管の溶接作業で配管内表面に生じた酸化皮膜（酸化銅）などの塵や、配管内に残留した水分を取り除くため、配管洗浄用循環ポンプと阻止弁の間の接続パイプにフィルターを配設し、洗浄冷媒中に混入した塵や水分を取り除くことが知られ、例えば特開２００１−１８３０３５号公報に記載されている。
【特許文献１】
特開２００１−１８３０３５号公報
【０００３】
【発明が解決しようとする課題】
上記従来の技術においては、ビル用マルチエアコンのような複数の室内ユニットの液接続配管及びガス接続配管で接続された冷凍サイクルを有する冷凍装置、各室内ユニットに対して同時に洗浄液を循環させて洗浄を行うので、室内ユニットの容量、室内ユニットに接続される配管の配管径の太さ、配管長の差異などにより流動抵抗に違いが生じ、主配管より各室内ユニットに分岐した枝管部分への洗浄液の流量に大きな変化が生じ、配管の洗浄度にばらつきが生じる。そのため、十分に洗浄できない枝管部が存在したり、長時間洗浄を行わなければならなかったりする。
【０００４】
本発明の目的は、接続配管が複雑で分岐数が多かったり、配管径の太さ、配管長に差異があったりする空気調和機や冷凍機であっても少量の洗浄冷媒で短時間に配管洗浄が可能なものを提供することにある。
【０００５】
【課題を解決するための手段】
上記課題を解決するために、本発明は、熱交換器、流量調整装置、液接続配管及びガス接続配管を有する複数の室内ユニットを備えた空気調和機に対して、圧縮機、空気熱交換器、熱交換器が順次連結されて冷凍サイクルが構成される洗浄装置を運転して前記液接続配管及びガス接続配管内に冷媒を循環させる配管洗浄方法であって、複数のうち少なくとも一つの前記室内ユニットの流量調整装置を全開、他を微開とし、設定時間毎に全開とする前記流量調整装置を順次変えて前記洗浄装置を運転すると共に、全開とする前記流量調整装置を切替える際に全ての前記流量調整装置を設定時間だけ全開とするものである。
【０００６】
また、上記において、微開とした他の流量調整装置の開度を全開時の２５％以下としたことが望ましい。
【０００９】
【発明の実施の形態】
以下、本発明の実施の形態について図を用いて説明する。
図１は、一実施の形態によるサイクル系統図を示し、新規の室外ユニット１０aにはガス接続配管４a、液接続配管５aと洗浄ユニット１２aとを接続するためのバルブキット２０が室外ユニット１０aに備えられており、バルブキット２０は接続配管４a、４aと接続されている。また、ガス接続配管４aから分岐した４d、４e、４f、液接続配管５aから分岐した５d、５e、５fには新規の室内ユニット１１d、１１e、１１fが接続されている。バルブキット２０の阻止弁２０５と洗浄装置１２aの阻止弁１２７は接続配管１４ｂで接続されている。
洗浄装置１２aの阻止弁１２６とタンクユニット１３の阻止弁１３１は接続配管１４cで接続されており、タンクユニット１３の阻止弁１３３と新規室外ユニット１０aの阻止弁２０５は接続配管１４dで接続され、室外ユニット１０aの阻止弁１０６、１０７は閉止状態である。バルブキットの阻止弁２０５、２０６、洗浄装置１２aの阻止弁１２６、１２７及び、タンクユニットの阻止弁１３１、１３３は開状態である。
【００１０】
洗浄運転時の冷媒の流れについて説明する。
洗浄装置内の圧縮機１２１より吐出された高温高圧冷媒はオイルセパレータ１２２で油を分離した後、油は返油管１３０から圧縮機１２１の吸入側へ戻され圧縮機１２１に吸入される。オイルセパレータ１２２を出た冷媒は、空気熱交換器１２３凝縮され、高圧の液冷媒または気液二相冷媒となり液−ガス熱交換器１２４（プレート熱交換器、または２重管熱交換器）に流入し、液−ガス熱交換器１２４で熱交換された後、洗浄冷媒タンク１３２へ入る。
洗浄冷媒タンク１３２内の冷媒は、阻止弁１３３、接続配管１４dを通って阻止弁２０５から接続配管４a内に導入され、ガス接続配管４a、ガス接続配管４aから分岐された接続配管４d、４e、４fから室内ユニット１１d、１１e、１１f、接続配管５aから分岐した接続配管５d、５e、５fを通って、液接続配管５a、阻止弁２０６、接続配管１４bを経由し、阻止弁１２７から洗浄装置１２a内に流入する。なお、図１では洗浄冷媒をガス接続配管４aから液接続配管５aに流しているが、液接続配管５aからガス接続配管４aへ洗浄冷媒を流しても良い。
【００１１】
以上の洗浄運転で、室内ユニット１１d、１１e、１１fに設置した室内電子膨張弁１１２d、１１２e、１１２f、の制御を行う。図２は室内ユニット１１d、１１e、１１fの電子膨張弁１１２d、１１２e１１２fの開度と経過時間を表すタイミングチャートを示している。
洗浄装置１２aの制御装置３１から制御情報を通信するために、伝送線３４で室外ユニット１０aの制御装置３０へ洗浄開始信号を送信する。洗浄開始信号を受信した室外ユニット１０aの制御装置３０は、伝送線３３で室内ユニット１１d、１１e、１１fの制御装置３２d、３２e、３２fへと洗浄作業の信号を伝送する。洗浄運転中は、室内ユニット１１d、１１e、１１fの電子膨張弁１１２d、１１２e、１１２fを全開とし、ガス接続配管４aを洗浄し、設定時間後、室内ユニット１１dの室内電子膨張弁１１２dを全開とする。
【００１２】
次に室内ユニット１１eの電子膨張弁１１２e、室内ユニット１１fの電子膨張弁１１２ｆを微開とし、室内ユニット１１dに接続するガス接続配管４d、液接続配管５dに集中的に冷媒を循環させることにより、室内ユニット１１dに接続するガス接続配管４d、液接続配管５dを集中的に洗浄することができる。室内ユニット１１eの容量により設定する時間経過後、室内ユニット１１d、１１e、１１ｆの電子膨張弁を設定時間の間全開とし、室内ユニット１１e、１１fの電子膨張弁１１２e、１１２fを微開とすることで室内ユニット１１e、１１fの熱交換器１１１e、１１１fに溜まった冷媒を再び冷凍サイクルに循環させ、冷凍サイクル内の冷媒の溜り込みを防止し、洗浄冷媒の使用量を抑制することができる。
【００１３】
設定時間後、室内ユニット１１dの電子膨張弁１１２d、室内ユニット１１fの電子膨張弁１１２fを微開とし、室内ユニット１１eの電子膨張弁１１２eを全開とし、室内ユニット１１eに接続するガス接続配管４e、液接続配管５eに集中的に冷媒を循環させる。そして、室内ユニット１１eに接続するガス接続配管４e、液接続配管５eを集中的に洗浄し、さらに室内ユニット１１eの容量により設定する時間後、再び室内ユニット１１d、１１e、１１fの電子膨張弁１１２d、１１２e、１１２fを設定時間の間全開とし、室内ユニット１１d、１１fの熱交換器１１１d、１１１fに溜まった冷媒を冷凍サイクルに循環させ、設定時間後室内ユニット１１dの電子膨張弁１１２d、室内ユニット１１eの電子膨張弁１１２eを微開とし、室内ユニット１１fの電子膨張弁１１２fを全開とする。さらに、室内ユニット１１fに接続するガス接続配管４f、液接続配管４fに集中的に冷媒を循環させ、室内ユニット１１fに接続するガス接続配管４f、液接続配管５fを集中的に洗浄し、室内ユニット１１fの容量により設定する時間後、室内ユニット１１d、１１e、１１fの電子膨張弁１１２d、１１２e、１１２fを全開とし液接続配管４aを洗浄する。
【００１４】
室内ユニット１１d、１１e、１１fの電子膨張弁１１２d、１１２e、１１２fの開度を制御する伝送信号は、室外ユニット１０aの制御装置３０を介さず洗浄装置１２aの制御装置３１から直接室内ユニット１１d、１１e、１１fの制御装置３２d、３２e、３２fへ伝送線を接続しても良い。
【００１５】
【発明の効果】
以上説明したように、本発明によれば、洗浄する既設配管の配管径が太く、多くの分岐をしている場合において、多量の洗浄冷媒を必要とせず、短時間で確実な配管洗浄を行うことができる。
【図面の簡単な説明】
【図１】  本発明による一実施の形態の配管洗浄装置を示すサイクル系統図。
【図２】  一実施の形態による室内ユニットの電子膨張弁の開度と時間を表すタイミングチャート。
【符号の説明】
１０a…室外ユニット、１１d、１１e、１１f…室内ユニット、１１２d、１１２e、１１２f…電子膨張弁（流量調整装置）、１２a…洗浄ユニット（洗浄装置）、１２１…圧縮機、１２２…油分離機、１２３…空気熱交換器、１２４…液−ガス交換機（熱交換器）、１２７、１２８…阻止弁、１３…タンクユニット、１３０…返油回路、１３１、１３３…阻止弁、１３２…洗浄冷媒タンク、１４b、１４c、１４ｄ…接続配管、２０１、２０２、２０５、２０６…阻止弁、３０、３１、３２d、３２e、３２f…制御装置、３３、３４…伝送線、４a、４d、４e、４f…ガス接続配管、５a、５d、５e、５f…液接続配管。
【図１】
0004110273.tif 000002
【図２】
0004110273.tif 000003